(57)【要約】      （修正有）【課題】コントラストをより高めることで、視認性を高めたタイヤを提供する。【解決手段】タイヤの外表面の少なくとも一部に装飾部を有し、装飾部には、複数の微小突起１１が配置される。少なくとも一つの微小突起は、凹部１４と、凹部の周囲を囲んで突起頂部１１Ｅを形成する外壁部１５とを含む。外壁部は、突起高さが大きい山部分１６と、突起高さが小さい谷部分１７とをそれぞれ一箇所含む。【選択図】図３
2020131903.tif 000002
【特許請求の範囲】
【請求項１】
タイヤであって、
前記タイヤの視認可能な外表面の少なくとも一部に装飾部を有し、
前記装飾部は、複数の微小突起が配置されており、
少なくとも一つの前記微小突起は、凹部と、前記凹部の周囲を囲んで突起頂部を形成する外壁部とを含み、
前記外壁部は、突起高さ方向において突起高さが大きい山部分と、突起高さが小さい谷部分とをそれぞれ一箇所含む、タイヤ。
【請求項２】
前記外壁部の上端面は、突起高さ方向に対して傾斜する斜面であり、前記斜面の上端が前記山部分をなしかつ下端が前記谷部分をなす、請求項１記載のタイヤ。
【請求項３】
前記斜面は、平面又は球面状の曲面である、請求項２記載のタイヤ。
【請求項４】
前記装飾部は、１mm２当り２〜１０個の密度で微小突起が配置される、請求項１ないし３のいずれかに記載のタイヤ。
【請求項５】
前記微小突起は、突起高さ方向と直交する横断面輪郭を有し、前記横断面輪郭は、円形状又は楕円形状である、請求項１ないし４のいずれかに記載のタイヤ。
【請求項６】
前記微小突起は、突起高さ方向と直交する横断面輪郭を有し、前記横断面輪郭は、下端部側よりも上端部側が小さい、請求項１ないし５のいずれかに記載のタイヤ。
【請求項７】
前記微小突起の前記横断面輪郭は、上端部側に向かって漸減する部分を含む、請求項６記載のタイヤ。
【請求項８】
前記微小突起の前記横断面輪郭は、上端部側に向かって段階的に小さくなる部分を含む、請求項６記載のタイヤ。
【請求項９】
前記横断面輪郭が段階的に小さくなる部分において、一方の横断面輪郭と他方の横断面輪郭とは、少なくとも一部が接する、請求項８記載のタイヤ。
【請求項１０】
前記凹部は、その深さ方向と直交する横断面輪郭を有し、前記横断面輪郭が円形状又は楕円形状である、請求項１ないし９のいずれかに記載のタイヤ。  
【請求項１１】
前記凹部は、その深さ方向と直交する横断面輪郭を有し、前記横断面輪郭は、下端部側よりも上端部側が大きい、請求項１ないし１０のいずれかに記載のタイヤ。  
【請求項１２】
前記凹部の前記横断面輪郭は、上端部側に向かって漸増する部分を含む、請求項１１記載のタイヤ。  
【請求項１３】
前記凹部の前記横断面輪郭は、上端部側に向かって段階的に大きくなる部分を含む、請求項１１記載のタイヤ。  
【請求項１４】
前記横断面輪郭が段階的に大きくなる部分において、一方の横断面輪郭と他方の横断面輪郭とは、少なくとも一部が接する、請求項１３記載のタイヤ。  
【請求項１５】
前記装飾部の前記微小突起間は、十点平均粗さ（Rz）が、０．０１〜０．０５mmの凹凸部を含んでいる、請求項１ないし１４のいずれかに記載のタイヤ。
【発明の詳細な説明】
【技術分野】
【０００１】
本発明は、装飾部を設けたタイヤに関する。
【背景技術】
【０００２】
下記特許文献１には、側壁に、多数の略円錐形の繊維状物を設けたタイヤが記載されている。この種のタイヤは、繊維状物が一種のテクスチャを形成し、側壁の黒色を高める。そのため、例えば、タイヤの記名等のマークとのコントラストを高め、マークの視認性が向上される。
【先行技術文献】
【特許文献】
【０００３】
【特許文献１】特表２００９−５１２５８４号公報
【発明の概要】
【発明が解決しようとする課題】
【０００４】
しかしながら、近年、コントラストをより高めて、視認性をさらに向上させることが望まれている。
【０００５】
本発明は、以上のような実状に鑑み案出されたもので、視認性を向上させたタイヤを提供することを課題としている。
【課題を解決するための手段】
【０００６】
本発明は、タイヤであって、
前記タイヤの視認可能な外表面の少なくとも一部に装飾部を有し、
前記装飾部は、複数の微小突起が配置されており、
少なくとも一つの前記微小突起は、凹部と、前記凹部の周囲を囲んで突起頂部を形成する外壁部とを含み、
前記外壁部は、突起高さ方向において突起高さが大きい山部分と、突起高さが小さい谷部分とをそれぞれ一箇所含む。
【０００７】
本発明に係るタイヤでは、前記外壁部の上端面は、突起高さ方向に対して傾斜する斜面であり、前記斜面の上端が前記山部分をなしかつ下端が前記谷部分をなすのが好ましい。
【０００８】
本発明に係るタイヤでは、前記斜面は、平面又は球面状の曲面であるのが好ましい。
【０００９】
本発明に係るタイヤでは、前記装飾部は、１mm２当り２〜１０個の密度で微小突起が配置されるのが望ましい。
【００１０】
本発明に係るタイヤでは、前記微小突起は、突起高さ方向と直交する横断面輪郭を有し、前記横断面輪郭は、円形状又は楕円形状であるのが望ましい。
【００１１】
本発明に係るタイヤでは、前記微小突起は、突起高さ方向と直交する横断面輪郭を有し、前記横断面輪郭は、下端部側よりも上端部側が小さいのが望ましい。
【００１２】
本発明に係るタイヤでは、前記微小突起の前記横断面輪郭は、上端部側に向かって漸減する部分を含む、或いは上端部側に向かって段階的に小さくなる部分を含むのが望ましい。
【００１３】
本発明に係るタイヤでは、前記横断面輪郭が段階的に小さくなる部分において、一方の横断面輪郭と他方の横断面輪郭とは、少なくとも一部が接するのが望ましい。
【００１４】
本発明に係るタイヤでは、前記凹部は、その深さ方向と直交する横断面輪郭を有し、前記横断面輪郭が円形状又は楕円形状であるのが望ましい。
【００１５】
本発明に係るタイヤでは、前記凹部は、その深さ方向と直交する横断面輪郭を有し、前記横断面輪郭は、下端部側よりも上端部側が大きいのが望ましい。
【００１６】
本発明に係るタイヤでは、  前記凹部の前記横断面輪郭は、上端部側に向かって漸増する部分を含む、或いは上端部側に向かって段階的に大きくなる部分を含むのが望ましい。  
【００１７】
本発明に係るタイヤでは、前記横断面輪郭が段階的に大きくなる部分において、一方の横断面輪郭と他方の横断面輪郭とは、少なくとも一部が接するのが望ましい。
【００１８】
本発明に係るタイヤでは、前記装飾部の前記微小突起間は、十点平均粗さ(Rz)が、０．０１〜０．０５mmの凹凸部を含んでいるのが望ましい。
【発明の効果】
【００１９】
本発明のタイヤの装飾部は、複数の微小突起が配置されており、少なくとも一つの前記微小突起は、凹部と、この凹部の周囲を囲んで突起頂部を形成する外壁部とを含む。
【００２０】
そのため、微小突起の突起頂部に照射された光は、主に前記外壁部の上端面で反射され、前記凹部では光が吸収される。しかも外壁部の上端面が、山部分と谷部分とをそれぞれ一箇所含む面で形成される。そのため、この上端面では光の拡散が起こる。
【００２１】
そして、これらの相乗効果により、上端に凹部が無い例えば円錐台状の微小突起に比して、装飾部を一層暗く（黒く）見せることができる。その結果、装飾部に隣接した例えばマークなどの非装飾部とのコントラストが高められ、マークの視認性を向上させることができる。
【図面の簡単な説明】
【００２２】
【図１】本発明のタイヤの一実施例を示す部分側面図である。
【図２】図１の装飾部を拡大した斜視図である。
【図３】（ａ）、（ｂ）は微小突起の斜視図、及びの側面図である。
【図４】（ａ）、（ｂ）は他の実施形態の微小突起の側面図である。
【図５】（ａ）〜（ｃ）はさらに他の実施形態の微小突起の側面図、及びそのＡ−Ａ線の位置における微小突起の横断面輪郭を示す平面図である。
【図６】（ａ）、（ｂ）はさらに他の実施形態の微小突起の側面図、及びそのＢ−Ｂ線の位置における凹部の横断面輪郭を示す平面図である。
【図７】（ａ）、（ｂ）はさらに他の実施形態の微小突起の斜視図である。
【図８】（ａ）、（ｂ）はさらに他の実施形態の微小突起の側面図である。
【図９】（ａ）、（ｂ）はさらに他の実施形態の微小突起の斜視図及び断面図である。
【発明を実施するための形態】
【００２３】
以下、本発明の実施の形態について、詳細に説明する。
図１は、本発明の一実施形態を示すタイヤ１の斜視図である。本実施形態では、好ましい態様として、乗用車用の空気入りタイヤ１が示される。但し、本発明は、例えば、自動二輪者用や重荷重用の空気入りタイヤ１や他のカテゴリーのタイヤ１として採用されても良い。
【００２４】
図１に示されるように、本実施形態のタイヤ１は、視認可能な外表面１ａを具える。視認可能な外表面１ａとは、タイヤ１がリム（図示省略）に組みこまれたときに、外部から目視できる面である。外表面１ａには、例えば、トレッド部２の外表面２ａ、サイドウォール部３の外表面３ａ及びビード部４の外表面４ａが含まれる。
【００２５】
タイヤ１は、本実施形態では、外表面１ａの一部に、装飾部１０と装飾部１０に隣接する非装飾部９とを有する。本実施形態では、非装飾部９及び装飾部１０は、サイドウォール部３の外表面３ａに設けられている。しかし、これに限定されるものではなく、非装飾部９及び装飾部１０が、例えば、トレッド部２の外表面２ａ、又はビード部４の外表面４ａに設けられても良い。
【００２６】
非装飾部９は、本実施形態では、外表面３ａから隆起した隆起部９Ａとして形成される。隆起部９Ａは、外表面３ａから外方に延びる側面９ｂと、側面９ｂに連なって平滑な面で形成される頂面９ｃとで構成される。このような頂面９ｃは、照射される光を反射して、非装飾部９を明るく見せるのに役立つ。非装飾部９は、例えば、タイヤ１のメーカ名、商品名、サイズ等を表す文字、記号などであるマーク（例えば標章）として形成されている。
【００２７】
図２は、図１の装飾部１０を拡大した斜視図である。図２に示されるように、装飾部１０には、本実施形態では、１mm２当り２〜１０個の密度で複数の微小突起１１が配置されている。
【００２８】
微小突起１１は、例えば、外表面３ａから外方に突出している。少なくとも一つの微小突起１１には、凹部１４と、この凹部１４の周囲を囲んで突起頂部１１Ｅを形成する例えば管状の外壁部１５とが設けられる。本実施形態では、全ての微小突起１１に、凹部１４と外壁部１５とが設けられる場合が示される。
【００２９】
このような微小突起１１に光が照射されると、微小突起１１の外側面１１Ｓに照射された光は拡散し、装飾部１０がしっとりとした色調で黒く見える。又突起頂部１１Ｅに照射された光は、主に外壁部１５の上端面１５Ｓのみで反射され、凹部１４では光が吸収される。そのため、突起頂部１１Ｅも黒く見え、非装飾部９とのコントラストが高められ、視認性が向上する。この効果は、微小突起１１が１mm２当り２〜１０個の密度で配置されることにより、より有効に発揮される。
【００３０】
図３（ａ）は、微小突起１１の斜視図である。図３（ａ）に示されるように、微小突起１１の外壁部１５には、突起高さ方向において、突起高さが大きい山部分１６と、突起高さが小さい谷部分１７とがそれぞれ一箇所配される。
【００３１】
特に本実施形態では、外壁部１５の上端面１５Ｓが、突起高さ方向に対して傾斜する斜面２１で形成される。斜面２１は、その上端が山部分１６をなし、かつ下端が谷部分１７をなす。本実施形態では、斜面２１が平面２１Ａをなす場合が示される。しかし、図４（ａ）、（ｂ）に示されるように、斜面２１が、凸状に湾曲する球面状の曲面２１Ｂ、及び凹状に湾曲する球面状の曲面２１Ｃであるのが光の拡散の観点から好ましい。
【００３２】
このように、外壁部１５の上端面１５Ｓは、山部分１６と谷部分１７とがそれぞれ一箇所配される面で形成されるため、上端面１５Ｓでも光の拡散が起こり、突起頂部１１Ｅを一層黒く見せることができる。このように、本発明では、微小突起１１の外側面１１Ｓによる光の拡散と、凹部１４による光の吸収と、外壁部１５の上端面１５Ｓによる光の拡散との相乗効果により、上端に凹部１４が無い例えば円錐台状の微小突起に比して、装飾部１０を一層暗く（黒く）見せることができる。その結果、非装飾部９とのコントラストが高められ、視認性を向上させることができる。
【００３３】
本実施形態では、各微小突起１１の斜面２１の傾斜の向きが同方向である場合が示される。しかし、斜面２１の傾斜の向きが異なる複数種類の微小突起１１が混在するのが光の拡散の観点から好ましい。
【００３４】
微小突起１１は、突起高さ方向と直交する横断面輪郭１１ａを有する。横断面輪郭１１ａは、円形状又は楕円形状であるのが望ましい。円形状の場合、いずれの方向から照射された光に対しても、同じように光を拡散しうる。そのため、方向性を有することなく、安定してコントラストを高めることができる。これに対して、楕円形状の場合、楕円の長軸側から照射される光の拡散と、短軸側から照射される光の拡散とに差を持たせることができる。そのため、コントラストに方向性を持たせることができ、外観に意外性を与えうる。
【００３５】
微小突起１１では、その横断面輪郭１１ａが下端側（突起の根元側）よりも上端側（突起頂部１１Ｅの側）が小さいのが好ましい。このような微小突起１１は、下端側に高い剛性を有する。そのため、変形し難く、欠けやクラックが抑制され、視認性が長期で確保される。本実施形態では、微小突起１１の横断面輪郭１１ａが、下端側から上端側に向かって漸減している場合が示される。より具体的には、本実施形態の微小突起１１は、その外側面１１Ｓが、全長に亘って、下端側から上端側に向かってテーパ状に形成されている。しかし横断面輪郭１１ａは、このような態様に限定されるものではない。
【００３６】
図３（ｂ）に示されるように、微小突起１１の最大幅Ｌ１は、０．３０〜１．００mmであるのが望ましい。微小突起１１は、その下端において最大幅Ｌ１を有する。このような微小突起１１は、照射された光による影の暗い部分を大きく確保できる。微小突起１１の最大幅Ｌ１が０．３０mm未満の場合、微小突起１１の剛性が小さくなり、クラックや欠けが生じ易くなるおそれがある。微小突起１１の最大幅Ｌ１が１．００mmを超える場合、微小突起１１の外側面１１Ｓに照射される光が増加し明るくなり、非装飾部９とのコントラストが小さくなる恐れがある。
【００３７】
上述の作用を効果的に発揮させるために、微小突起１１の最小幅Ｌ２は、０．２５〜０．９５mmであるのが望ましい。微小突起１１は、その上端において最小幅Ｌ２を有する。これにより、剛性を確保しながら暗くなる部分を作ることができる。
【００３８】
微小突起１１は、山部分１６において最大高さＨ１maxを有し、谷部分１７において最小高さＨ１minを有する。最大高さＨ１maxは、０．２０〜０．６０mmが望ましい。最大高さＨ１maxが、０．２０mm未満の場合、微小突起１１が低すぎて、光の拡散の効果が減じ、充分なコントラストが得られなくなる。又最大高さＨ１maxが、０．６０mmを越える場合、微小突起１１に損傷を招く傾向となる。
【００３９】
又最小高さＨ１minは、０．１０〜０．５０mmが望ましく、特には、最大高さＨ１maxと最小高さＨ１minとの差ΔＨ＝（Ｈ１max−Ｈ１min）が、０．１０〜０．４０mmであるのが好ましい。差ΔＨが０．１０mm未満の場合、外壁部１５の上端面１５Ｓにおける光の拡散の効果を有効に得るのが難しい。逆に０．４０mmを越えると、山部分１６で損傷を招く傾向となる。
【００４０】
又外壁部１５の上端における厚さＷ２は０．２０mm以下であるのが望ましい。厚さＷ２が０．２０mmを超える場合、凹部１４が小さくなり、微小突起１１を黒く見せる効果が小さくなる傾向がある。なお、厚さＷ２の下限は０．０５mm以上であるのが好ましい。これを下回ると、微小突起１１の剛性が小さくなり、微小突起１１に損傷を招く傾向となる。
【００４１】
図３（ａ）に示されるように、凹部１４は、その深さ方向と直交する横断面輪郭１４ａを有する。この横断面輪郭１４ａは、円形状又は楕円形状であるのが望ましい。このような凹部１４は、微小突起１１の剛性を高く維持するとともに、多方向からの光を吸収でき、微小突起１１を黒く見せるのに役立つ。本実施形態では、凹部１４の横断面輪郭１４ａが円形状の場合が示される。なお楕円形状の場合、コントラストに方向性を持たせることができ、外観に意外性を与えうる。
【００４２】
凹部１４の横断面輪郭１４ａは、下端部側よりも上端部側が大きいのが好ましい。このような微小突起１１は、下端側に高い剛性を有するため、変形し難く、欠けやクラックが抑制される。本実施形態では、横断面輪郭１４ａが、下端側から上端側に向かって漸増している場合が示される。より具体的には、本実施形態の微小突起１１は、凹部１４の内側面１４Ｓが、全長に亘って、下端側から上端側に向かって逆テーパ状に形成されている。しかし横断面輪郭１４ａは、このような態様に限定されるものではない。
【００４３】
図３（ａ）に示されるように、凹部１４の山部分１６からの深さＨｃは、微小突起１１の前記最大高さＨ１maxの１５％〜１００％の範囲が好ましい。１５％を下回ると、凹部１４の底面で光が反射する傾向となり、微小突起１１を黒く見せる効果が減じる。又１００％を越えると、微小突起１１の剛性が減じ、微小突起１１に損傷を招く傾向となる。そのため、深さＨｃは、最大高さＨ１maxの９０％以下が好ましい。なお深さＨｃは、０．１５〜０．６０mmの範囲であるのも好ましい。
【００４４】
凹部１４の最大幅Ｌ３は、０．１０〜０．９０mmであるのが望ましい。凹部１４は、その上端において最大幅Ｌ３を有する。最大幅Ｌ３が０．１０mm未満の場合、凹部１４による光の吸収効果が小さくなる傾向を招く。最大幅Ｌ３が０．９０mmを超える場合、微小突起１１の剛性が減じ、微小突起１１に損傷を招く傾向となる。
【００４５】
特に限定されないが、凹部１４の最小幅Ｌ４は、最大幅Ｌ３以下であり、好ましくは、最大幅Ｌ３の７０％以下が望ましい。凹部１４は、その下端において最小幅Ｌ４を有する。
【００４６】
図２に示されるように、装飾部１０の微小突起１１間は、十点平均粗さ(Rz)が、０．０１〜０．０５mmの凹凸部２５を含んでいるのが望ましい。このような凹凸部２５は、装飾部１０に影をもたらし、さらに暗く見せるのに役立つ。また、このような凹凸部２５は、装飾部１０の剛性を高め、微小突起１１の欠けを抑制する。十点平均粗さ(Rz)は、JISB0601（1994）に準拠して測定される。
【００４７】
微小突起１１の配設ピッチは、０．６〜１．０mmであるのが望ましい。配設ピッチは、微小突起１１の中心間距離で定義される。本実施形態では、微小突起１１が千鳥状に配列する場合が示されるが、格子状に配列しても良い。又の配設ピッチが前記範囲を満たすならばランダムに配列することもできる。
【００４８】
微小突起１１は、装飾部１０の面積の５０％以上に設けられているのが望ましく、装飾部１０の面積の７５％以上に設けられているのがさらに望ましく、装飾部１０の面積の１００％以上に設けられているのが一層望ましい。
【００４９】
このような装飾部１０は、微小突起１１を均一な大きさで密に配設した場合、より暗く見えるので、コントラストが明瞭になる。他方、微小突起１１の大きさや配置をランダムとすると、上記密に配設した場合に比して、クラックや欠け等の損傷箇所が目立たなくなるという利点がある。
【００５０】
装飾部１０は、例えば、外表面３ａを形成するタイヤ１のゴム部材と同じゴムで形成されている。このような装飾部１０の成形方法としては、例えば、タイヤ成形用の加硫金型の内面に微小突起１１の反転模様を設けて、タイヤ１の加硫成形とともに形成しても良い。また、このような装飾部１０の成形方法としては、例えば、周知の機械加工又はレーザ加工によって、加硫成形後のタイヤ１に装飾部１０を設けても良い。前記機械加工又はレーザ加工には、例えば、周知のコンピュータプログラムを用いるのが望ましい。
【００５１】
図４（ａ）、（ｂ）は、微小突起１１の他の実施形態の斜視図である。この実施形態の微小突起１１と、本実施形態の微小突起１１とで同じ構成要素については、同じ符号が付されその詳細な説明が省略される。図４（ａ）では、外壁部１５の上端面１５Ｓをなす斜面２１が、凸状に湾曲する球面状の曲面２１Ｂで形成され、図４（ｂ）では、斜面２１が、凹状に湾曲する球面状の曲面２１Ｃで形成される。曲面２１Ｂ、２１Ｃでは、平面２１Ａ（図３に示す）に比して光の拡散の効果が高く、好ましく採用しうる。
【００５２】
図５（ａ）〜（ｃ）に、それぞれ、微小突起１１のさらに他の実施形態における側面図、及びそのＡ−Ａ線の位置における微小突起１１の横断面輪郭１１ａが示される。この実施形態の微小突起１１と、本実施形態の微小突起１１とで同じ構成要素については、同じ符号が付されその詳細な説明が省略される。
【００５３】
図５（ａ）の微小突起１１は、例えば、横断面輪郭１１ａが下端側から上端側まで同じ大きさで形成される。即ち、微小突起１１が円柱状をなす。このような微小突起１１は、剛性には不利を招くものの、テーパ状の微小突起１１（図３に示す）と同様に、微小突起１１を黒く見せる効果を発揮し、非装飾部９とのコントラストを強調することができる。また、この実施形態では、凹部１４の横断面輪郭１４ａが下端側から上端側まで同じ大きさで形成される。このような凹部１４は、剛性には不利を招くものの、逆テーパ状の凹部１４（図３に示す）と同様に、光の吸収効果を発揮し、非装飾部９とのコントラストを強調することができる。
【００５４】
図５（ｂ）の微小突起１１は、その横断面輪郭１１ａが、下端側から上端側に向かって段階的に小さくなる部分Ｐ１、即ち、段差部分Ｐ１を含む。この実施形態では、段差が一段の場合が示されるが、複数段であっても良い。このような微小突起１１は、テーパ状の微小突起１１（図３に示す）と同様に、剛性を高く確保しながら、微小突起１１を黒く見せる効果を発揮し、非装飾部９とのコントラストを強調することができる。この実施形態の微小突起１１では、段差部分Ｐ１の上方側の部分Ｙ１及び下方側の部分Ｙ２が、それぞれ円柱状で形成されている。しかし各部分Ｙ１、Ｙ２を、図３に示すようにテーパ状に構成することもできる。
【００５５】
図５（ｃ）の微小突起１１では、横断面輪郭１１ａが段階的に小さくなる部分（段差部分）Ｐ１において、一方の横断面輪郭１１ａと他方の横断面輪郭１１ａとは、位置Ｊにおいて一部Ｋが接している。このような、微小突起１１は、コントラストに方向性を持たせることができ、外観に意外性を与えうる。
【００５６】
図６（ａ）、（ｂ）に、それぞれ、微小突起１１のさらに他の実施形態における側面図、及びそのＢ−Ｂ線の位置における凹部１４の横断面輪郭１４ａが示される。この実施形態の微小突起１１と、本実施形態の微小突起１１とで同じ構成要素については、同じ符号が付されその詳細な説明が省略される。
【００５７】
図６（ａ）において、凹部１４は、その横断面輪郭１４ａが、下端側から上端側に向かって段階的に大きくなる部分Ｐ２、即ち、段差部分Ｐ２を含む。この実施形態では、段差が一段の場合が示されるが、複数段であっても良い。このような凹部１４は、逆テーパ状の凹部１４（図３に示す）と同様に、剛性を高く確保しながら、光の吸収効果を発揮し、非装飾部９とのコントラストを強調することができる。
【００５８】
図６（ｂ）の微小突起１１では、横断面輪郭１４ａが段階的に小さくなる部分（段差部分）Ｐ２において、一方の横断面輪郭１４ａと他方の横断面輪郭１４ａとは、位置Ｊにおいて一部Ｋが接している。
【００５９】
図７（ａ）、（ｂ）に、微小突起１１のさらに他の実施形態における斜視図が示される。この実施形態の微小突起１１と、本実施形態の微小突起１１とで同じ構成要素については、同じ符号が付されその詳細な説明が省略される。
【００６０】
図７（ａ）では、外壁部１５の上端面１５Ｓが、突起高さ方向と直角な平面からなる山部分１６と、突起高さ方向と直角な平面からなる谷部分１７と、山部分１６と谷部分１７とを継ぐ斜面２２とで形成される場合が示される。又図７（ｂ）では、外壁部１５の上端面１５Ｓが、突起高さ方向と直角な平面からなる山部分１６と、突起高さ方向と直角な平面からなる谷部分１７と、山部分１６と谷部分１７とを継ぐ段差面２３とで形成される場合が示される。段差面２３は、突起高さ方向と平行な面である。
【００６１】
又図８（ａ）、（ｂ）に、微小突起１１のさらに他の実施形態における側面図が示される。この実施形態の微小突起１１と、本実施形態の微小突起１１とで同じ構成要素については、同じ符号が付されその詳細な説明が省略される。
【００６２】
図８（ａ）では、外壁部１５の上端面１５Ｓが、凸状に湾曲する球面状の曲面２３Ａで形成される。この場合、曲面２４Ａ（上端面１５Ｓ）の内周縁が山部分１６を形成し、外周縁が谷部分１７を形成する。図８（ｂ）では、外壁部１５の上端面１５Ｓが、凹状に湾曲する球面状の曲面２４Ｂで形成される。この場合、曲面２３Ｂ（上端面１５Ｓ）の外周縁が山部分１６を形成し、内周縁が谷部分１７を形成する。
【００６３】
又図９（ａ）、（ｂ）に、微小突起１１のさらに他の実施形態における斜視図及びその断面図が示される。この実施形態の微小突起１１と、本実施形態の微小突起１１とで同じ構成要素については、同じ符号が付されその詳細な説明が省略される。
【００６４】
図９（ａ）、（ｂ）では、外壁部１５の上端面１５Ｓが、突起高さ方向に対して傾斜するとともに凹部１４の回りをドーナツ状に湾曲しながらのびる曲面２６で形成される。詳しくは、曲面２６は、微小突起１１の中心線を通る縦断面において、外側面１１Ｓと内側面１４Ｓとの間が円弧面２６Ｓで形成される。
【００６５】
この場合、円弧面２６Ｓの頂点Ｐがなす稜線Ｊにおける最大高さ位置が山部１６を形成し、最小高さ位置が谷部１７を形成する。又微小突起１１の最小幅Ｌ２は、外側面１１Ｓと円弧面２６Ｓとの交点間における幅で定義される。凹部１４の最大幅Ｌ３は、内側面１４Ｓと円弧面２６Ｓとの交点間における幅で定義される。
【００６６】
以上、本発明の特に好ましい実施形態について詳述したが、本発明は図示の実施形態に限定されることなく、種々の態様に変形して実施しうる。
【実施例】
【００６７】
本発明の効果を確認するため、サイドウォール部の外表面に、図１及び図２に示すような非装飾部及び装飾部を具える空気入りタイヤが試作された。そして、各試作タイヤの視認性についてテストされた。表１に記載された以外の仕様は、比較例及び実施例ともに実質的に同じである。
微小突起の配設ピッチ：０．６３mm
【００６８】
＜視認性＞
検査員が、試作タイヤを１m離れた側方から目視し、装飾部のコントラストに基づく視認性を官能により評価した。結果は、比較例１を１００とする評点で示されている。数値が大きいほうが、コントラストが明瞭であり、視認性が優れている。
テストの結果が表１に示される。
【００６９】
【表１】
2020131903.tif 000003
【００７０】
実施例のタイヤは、比較例１のタイヤに比して、視認性が優れていることが理解される。また、微小突起及び凹部の各寸法を好ましい範囲で変化させてテストを行ったが、同様の結果であった。
【符号の説明】
【００７１】
１  タイヤ
１ａ  外表面
１０  装飾部
１１  微小突起
１１ａ  横断面輪郭
１１Ｅ  突起頂部
１４  凹部
１４ａ  横断面輪郭
１５  外壁部
１５Ｓ  上端面
１６  山部分
１７  谷部分
２１斜面
２１Ａ平面
２１Ｂ、２１Ｃ曲面
２５  凹凸部
【図１】
2020131903.tif 000004
【図２】
2020131903.tif 000005
【図３】
2020131903.tif 000006
【図４】
2020131903.tif 000007
【図５】
2020131903.tif 000008
【図６】
2020131903.tif 000009
【図７】
2020131903.tif 000010
【図８】
2020131903.tif 000011
【図９】
2020131903.tif 000012